(57)【要約】      （修正有）【課題】組立て式ベッドを提供する。【解決手段】解決手段を提供する組立て式ベッドは、複数の台により構成される。この台は、天板１０１、複数の脚部１１１、１２１、１２２、１３１、１３２、１４１、１４２、１５１、１５２および複数の梁部１６１、１６２、１６３を具備する。天板は、矩形形状に構成される。脚部は、端部に嵌合部を有する筒状に構成されて天板の少なくとも隅部にそれぞれ配置される。梁部は、複数の脚部のうち対向して配置される２つの脚部のそれぞれの嵌合部に共通に嵌着されて２つの脚部に載架されるとともに天板を支える。【選択図】図１
0003225357.tif 000002
【実用新案登録請求の範囲】
【請求項１】
矩形形状に構成される天板と、
端部に嵌合部を有する筒状に構成されて前記天板の少なくとも隅部にそれぞれ配置される複数の脚部と、
前記複数の脚部のうち対向して配置される２つの脚部のそれぞれの前記嵌合部に共通に嵌着されて前記２つの脚部に載架されるとともに前記天板を支える梁部と
を具備する台。
【請求項２】
前記梁部は、筒状に構成される請求項１記載の台。
【請求項３】
前記複数の脚部は、入れ子状に配置されて収納される請求項１記載の台。
【請求項４】
矩形形状に構成される天板と、
端部に嵌合部を有する筒状に構成されて前記天板の少なくとも隅部にそれぞれ配置される複数の脚部と、
前記複数の脚部のうち対向して配置される２つの脚部のそれぞれの前記嵌合部に共通に嵌着されて前記２つの脚部に載架されるとともに前記天板を支える梁部と
を備える複数の台を具備し、
前記複数の台が連結されて構成される
組立て式ベッド。
【請求項５】
前記複数の台のそれぞれに配置される脚部のうち対向して配置される２つの脚部のそれぞれの底部に配置される前記嵌合部に共通に嵌着されて前記２つの脚部を連結する連結部をさらに具備し、
前記複数の台は、前記連結部により連結される
請求項４記載のベッド。
【請求項６】
前記複数の台のうち隣接する台に配置される脚部の前記嵌合部に伸長されて３つの脚部のそれぞれの前記嵌合部に共通に嵌着される前記梁部である伸長梁部をさらに具備し、
前記複数の台は、前記伸長梁部により連結される
請求項４記載のベッド。
【考案の詳細な説明】
【技術分野】
【０００１】
本考案は、台および組立て式ベッドに関する。詳しくは、段ボール等の素材により構成される台および組立て式ベッドに関する。
【背景技術】
【０００２】
従来、震災等の災害が発生した際には、被災者が学校の体育館等の避難所に寝泊まりしていた。このような避難所においては、寝具等の準備が十分ではないため、被災者は避難所の床に直接布団等を敷いて夜間を過ごす必要があった。災害の規模が大きい場合、被災者は、比較的長い期間を避難所で過ごすこととなり、被災者の肉体的および精神的な負担が増大する問題があった。
【０００３】
そこで、平時には倉庫等に収納しておき、災害発生時に被災地に手軽に搬入して簡単に組立てて使用するベッドが提案されている。例えば、複数の桟により連結された複数の脚板の上に台板が載置されて構成される組立て式ベッドが提案されている（例えば、特許文献１参照。）。この組立て式ベッドにおいては、平板状の複数の脚板が平行に配置されるとともに複数の桟がこれらの脚板に垂直な方向に組み合わされて連結され、人物を載置する台板を支える形状に構成される。
【先行技術文献】
【特許文献】
【０００４】
【特許文献１】特開２０１６−１０６７４３号公報
【考案の概要】
【考案が解決しようとする課題】
【０００５】
上述の従来技術では、脚板の強度が不足するという問題がある。台板を支える複数の脚板は、台板の長辺に対して平行に配置されるため、台板の長辺方向の強度が不足する。震災の発生後には、比較的大きな余震を生じる場合がある。この余震による横揺れが台板の長辺方向に加わると、強度不足により脚板が破損する可能性がある。
【０００６】
本考案は、上述した問題点に鑑みてなされたものであり、組立て式ベッドの強度を向上することを目的としている。
【課題を解決するための手段】
【０００７】
本開示は、上述の問題点を解消するためになされたものであり、その第１の態様は、矩形形状に構成される天板と、端部に嵌合部を有する筒状に構成されて上記天板の少なくとも隅部にそれぞれ配置される複数の脚部と、上記複数の脚部のうち対向して配置される２つの脚部のそれぞれの上記嵌合部に共通に嵌着されて上記２つの脚部に載架されるとともに上記天板を支える梁部とを具備する台である。
【０００８】
また、この第１の態様において、上記梁部は、筒状に構成されてもよい。
【０００９】
また、この第１の態様において、上記複数の脚部は、入れ子状に配置されて収納されてもよい。
【００１０】
また、本開示の第２の態様は、矩形形状に構成される天板と、端部に嵌合部を有する筒状に構成されて上記天板の少なくとも隅部にそれぞれ配置される複数の脚部と、上記複数の脚部のうち対向して配置される２つの脚部のそれぞれの上記嵌合部に共通に嵌着されて上記２つの脚部に載架されるとともに上記天板を支える梁部とを備える複数の台を具備し、上記複数の台が連結されて構成される組立て式ベッドである。
【００１１】
また、この第２の態様において、上記複数の台のそれぞれに配置される脚部のうち対向して配置される２つの脚部のそれぞれの底部に配置される上記嵌合部に共通に嵌着されて上記２つの脚部を連結する連結部をさらに具備し、上記複数の台は、上記連結部により連結されてもよい。
【００１２】
また、この第２の態様において、上記複数の台のうち隣接する台に配置される脚部の上記嵌合部に伸長されて３つの脚部のそれぞれの上記嵌合部に共通に嵌着される上記梁部である伸長梁部をさらに具備し、上記複数の台は、上記伸長梁部により連結されてもよい。
【００１３】
本開示の態様により、天板の少なくとも隅部に筒状の複数の脚部が配置されるという作用をもたらす。
【考案の効果】
【００１４】
天板が筒状の脚部により支えられるため、ベッドの強度を向上させることができる。
【図面の簡単な説明】
【００１５】
【図１】本考案の第１の実施の形態に係るベッドの構成例を示す図である。
【図２】本考案の第１の実施の形態に係る台の構成例を示す上面図および底面図である。
【図３】本考案の第１の実施の形態に係る台の構成例を示す側面図である。
【図４】本考案の第２の実施の形態に係るベッドの構成例を示す底面図である。
【図５】本考案の第３の実施の形態に係る台の構成例を示す底面図である。
【考案を実施するための形態】
【００１６】
次に、図面を参照して、本考案を実施するための形態（以下、実施の形態と称する）を説明する。以下の図面において、同一または類似の部分には同一または類似の符号を付している。また、以下の順序で実施の形態の説明を行う。
１．第１の実施の形態
２．第２の実施の形態
３．第３の実施の形態
【００１７】
＜１．第１の実施の形態＞
［ベッドの構成］
図１は、本考案の第１の実施の形態に係るベッドの構成例を示す図である。同図は、ベッド１の構成例を表す図である。同図におけるＡは、組立て後のベッド１の構成を表す図である。同図のベッド１は、複数の台が並置されて構成される寝台（ベッド）である。具体的には、ベッド１は、台１０、２０、３０および４０が並置されて構成される。便宜上、同図のベッド１は、４つの台１０、２０、３０および４０が１列に並置されて構成される例を記載したが、後述するように同図のベッド１を２組並列に配置した８個の台によりベッドを構成することもできる。
【００１８】
台１０は、天板１０１と、脚部１１１、１４１および１４２と、梁部１６１乃至１６３とを備える。また、台２０は、天板１０１と、脚部１１１、１２１および１２２と、梁部１６１乃至１６３とを備える。また、台３０は、天板１０１と、脚部１１１、１３１および１３２と、梁部１６１乃至１６３とを備える。また、台４０は、天板１０１と、脚部１１１、１５１および１５２と、梁部１６１乃至１６３とを備える。このように、台１０、２０、３０および４０は、それぞれ共通の天板１０１、脚部１１１および梁部１６１乃至１６３をそれぞれ備える。
【００１９】
天板１０１は、台１０等の上面に配置される板であり、ベッド１の使用者が載置される部分である。同図の天板１０１は、正方形の形状に構成される例を表したものである。この天板１０１は、段ボールや強化段ボールにより構成することができる。
【００２０】
脚部１１１、１２１、１２２、１３１、１３２、１４１、１４２、１５１および１５２は、天板１０１を支えるものである。台１０、２０、３０および４０には、複数の脚部１１１等が分散して配置される。これらの脚部１１１等は、同じ長さの筒状に構成することができる。同図は、角管に構成される脚部１１１等の例を表したものである。筒状に構成することにより、脚部１１１等の強度を向上させることができる。また、脚部１１１等は、紙管により構成することができる。脚部１１１と、１２１および１２２と、１３１および１３１と、１４１および１４２と、１５１および１５２とは、それぞれ幅が異なる。脚部１１１が最も大きい幅に構成され、１２１および１２２、１３１および１３１、１４１および１４２ならびに１５１および１５２の順に小さい幅に構成される。これにより、収納時には、入れ子状に配置することができる。
【００２１】
脚部１１１は、台１０、２０、３０および４０の天板１０１の中央部に配置される。脚部１２１および１２２は、台２０の天板１０１の隅部に配置される。脚部１３１および１３１は、台３０の天板１０１の隅部に配置される。脚部１４１および１４２は、台１０の天板１０１の隅部に配置される。脚部１５１および１５２は、台４０の天板１０１の隅部に配置される。また、脚部１１１等には、端部に嵌合部１１９が形成される。この嵌合部１１９には、後述する梁部１６１等が嵌着される。
【００２２】
梁部１６１および１６２は、対向する２つの脚部１１１等に載架されて天板１０１を支えるものである。後述する梁部１６３も同様である。この梁部１６１および１６２は、対向する２つの脚部１２１等の端部の嵌合部１１９に共通に嵌着される。また、梁部１６１および１６２は、脚部１１１等と同様に、筒状に構成することができる。同図は、角管に構成される梁部１６１および１６２の例を表したものである。なお、梁部１６１および１６２は、長さが異なる。梁部１６１等の配置の詳細については後述する。
【００２３】
同図におけるＢは、収納時の天板１０１、脚部１１１等および梁部１６１等の配置の一例を表す図である。同図におけるＢに表したように、天板１０１等は、直方体の箱や紙袋等に収納することができる。この際、入れ子状に配置した脚部１１１等を４つの天板１０１に隣接して配置し、収納することができる。梁部１６１等は、天板１０１および入れ子状の脚部１１１等の隙間に配置することができる。
【００２４】
［天板、脚部および梁部の構成］
図２は、本考案の第１の実施の形態に係る台の構成例を示す上面図および底面図である。同図は、台２０の上面図および底面図である。この台２０を例に挙げて台１０等の構成を説明する。同図におけるＡは台２０の上面図であり、同図におけるＢは台２０の底面図である。同図の天板１０１は、例えば、幅５００ｍｍの正方形の平面に構成することができる。また、天板１０１は、例えば、２０ｍｍの厚さに構成することができる。天板１０１の４隅には、脚部１２１および１２２が２つずつ配置される。２つの脚部１２１および２つの脚部１２２は、それぞれ天板１０１の対角の隅部に配置される。また、脚部１２１および１２２は、底面視において天板１０１と同じ向きに配置される。天板１０１の中央には、脚部１１１が配置される。この脚部１１１は、天板１０１に対して９０度回転させた向きに配置することができる。
【００２５】
梁部１６１乃至１６３は、天板１０１の底面に隣接して配置される。この梁部１６１乃至１６３は、例えば、内幅１０ｍｍの角管により構成することができる。また、梁部１６１乃至１６３は、例えば、厚さ３ｍｍの角管により構成することができる。梁部１６１および１６２は、天板１０１の端部に配置される。２つの梁部１６１は天板１０１の辺と同じ５００ｍｍの長さに構成され、２つの梁部１６２は天板１０１の辺に対して梁部１６１の外幅２つ分だけ短い４６０ｍｍの長さに構成される。梁部１６３は、脚部１１１と脚部１２１および１２２との間に配置される。この梁部１６３は、一端が梁部１６１および１６２に当接し、他端が脚部１１１の辺に到達する長さに構成することができる。梁部１６３は、例えば、３００ｍｍの長さに構成することができる。
【００２６】
［側面の構成］
図３は、本考案の第１の実施の形態に係る台の構成例を示す側面図である。同図におけるＡおよびＢは、台２０の隣接する２つの側面をそれぞれ表した側面図である。脚部１１１等は、例えば、３ｍｍの厚さの角管に構成することができる。また、脚部１１１等は、例えば、４００ｍｍの長さに構成することができる。なお、脚部１１１と、１２１および１２２と、１３１および１３１と、１４１および１４２と、１５１および１５２とは、それぞれ９５ｍｍ、８０ｍｍ、７０ｍｍ、６０ｍｍおよび５０ｍｍの内幅に構成することができる。
【００２７】
同図に表したように、脚部１１１等の上端には嵌合部１１９が形成される。この嵌合部１１９に梁部１６１等が嵌着される。同図の嵌合部１１９は、溝形状に構成される嵌合部１１９の例を表したものである。脚部１１１には、４つの梁部１６３を嵌着するための４つの嵌合部１１９が形成される。脚部１２１および１２２には、梁部１６１を嵌着するための２つの嵌合部１１９、梁部１６２を嵌着するための１つの嵌合部１１９および梁部１６３を嵌着するための１つの嵌合部１１９の４つの嵌合部１１９が形成される。なお、脚部１２１および１２２は、嵌合部１１９の位置が異なり、それぞれ対称な位置に嵌合部１１９が形成される。脚部１１１等を筒状に構成することにより、大きな荷重に対応できるとともに横揺れ等の水平方向の力に対する強度を向上させることができる。
【００２８】
なお、天板１０１は、脚部１１１等および梁部１６１等と脱着可能に接合することができる。具体的には、天板１０１は、面ファスナーにより脚部１１１等および梁部１６１等と接合することができる。
【００２９】
図２および３に表したように、梁部１６１等は、対向する脚部１１１等の嵌合部１１９に嵌挿されて２つの脚部１１１等に載架されるとともに天板１０１の裏面に隣接して配置される。また、梁部１６１および１６２が天板１０１の端部に配置され、梁部１６３が天板１０１の対角線に沿って配置される。これら梁部１６１等により、脚部１１１等の間の領域の天板１０１を支えることができる。人物が台１０等に座った場合や人物がベッド１に横臥した場合であっても、十分な強度を得ることができる。
【００３０】
なお、天板１０１を構成する段ボールや脚部１１１等および梁部１６１等を構成する紙管には、防水加工を施すこともできる。また、天板１０１の上面にシート状の連続成形フオームや発泡シート等を配置することもできる。また、脚部１１１等は、任意の長さに構成することができる。例えば、２００ｍｍの長さに構成することもできる。また、天板１０１は、６００ｍｍの幅の正方形の形状に構成することもできる。使用者等の体格や使用目的に合わせて変更することが可能である。また、天板１０１は、長方形の形状に構成することもできる。また、隣接する台１０等における隣接して配置される脚部１１１等は、何れか一方を省略することもできる。具体的には、ベッド１において、隣接する台１０等における隣接して配置される２つの天板１０１の隅部に共通に配置される脚部である共有脚部を有する構成にすることができる。また、脚部１１１等および梁部１６１等は、必要な強度に応じて厚さを調整することができる。例えば、脚部１１１等および梁部１６１等を４ｍｍや６ｍｍの厚さに構成することができる。
【００３１】
また、梁部１６１等は、丸管により構成することもできる。また、嵌合部１１９は、丸孔に構成することもできる。この丸孔に構成される嵌合部１１９は、脚部１１１等の端部の近傍に配置することができる。この丸孔に構成される嵌合部１１９に梁部１６１等を嵌着すると梁部１６１等と天板１０１との間に隙間ができることとなるが、人物等の荷重により天板１０１が撓む際に天板１０１を支えることができる。また、梁部１６１および１６２を省略することもできる。
【００３２】
このように、段ボールにより構成された天板１０１および紙管により構成された脚部１１１等および梁部１６１等を使用することにより、ベッド１を軽量化することができ、廃棄時の環境負荷を軽減することができる。ベッド１を構成する台１０等は、椅子やテーブルとして使用することもできる。ベッド１を収納する際には、脚部１１１等を入れ子状に配置してコンパクト化することができ、保管場所を縮小することができる。図１におけるＢに表したように、専用の箱や袋に収納することにより、持ち運ぶ際の利便性を向上させることができる。
【００３３】
以上説明したように、本開示の第１の実施の形態の台１０等は、筒状の脚部１１１等により天板１０１を支える。これにより、台１０等の強度を向上させることができる。複数の台１０等により構成されるベッド１の強度を向上させることが可能になる。
【００３４】
＜２．第２の実施の形態＞
上述の第１の実施の形態のベッド１は、複数の台１０等が隣接して配置されていた。これに対し、本開示の第２の実施の形態のベッド１は、隣接する台１０等が連結される点で、上述の第１の実施の形態と異なる。
【００３５】
［ベッドの構成］
図４は、本考案の第２の実施の形態に係るベッドの構成例を示す底面図である。同図におけるＡは、隣接する台１０等が連結部１６４により連結されて構成されるベッド１の例を表したものである。同図におけるＡにおいては、２列に配置された台１０、２０、３０および４０のうち隣接する２つの台１０等の脚部１１１同士が連結部１６４により連結される。この連結部１６４は、梁部１６１等と同様の角管により構成することができる。同図の脚部１１１は、底端部に嵌合部１１９がさらに形成され、この底端部の嵌合部１１９に連結部１６４が嵌着される。
【００３６】
同図におけるＢは、隣接する台１０等が伸長梁部１６５により連結される例を表したものである。この伸長梁部１６５は、梁部１６１より長い長さに構成され、同じ台１０等に配置される脚部１２１等に加えて隣接して配置される異なる台１０等の脚部１２１等に共通に嵌着される。例えば、台１０の伸長梁部１６５は、脚部１４１および１４２に加えて、隣接する台２０の脚部１２１等の嵌合部１１９に共通に嵌着される。この際、隣接して配置される台１０等の伸長梁部１６５は、位置をずらして配置される。具体的には、台２０の伸長梁部１６５は、天板１０１の端部に対して内側にずらして配置される。
【００３７】
これ以外の台１０等およびベッド１の構成は本開示の第１の実施の形態において説明した台１０等およびベッド１の構成と同様であるため、説明を省略する。
【００３８】
以上説明したように、本開示の第２の実施の形態のベッド１は、隣接して配置される台１０等が連結部１６４および伸長梁部１６４により連結される。これにより、ベッド１の強度を向上させることができる。
【００３９】
＜３．第３の実施の形態＞
上述の第１の実施の形態のベッド１は、角管により構成された脚部１１１を使用していた。これに対し、本開示の第３の実施の形態のベッド１は、丸管により構成された脚部を使用する点で、上述の第１の実施の形態と異なる。
【００４０】
［脚部の構成］
図５は、本考案の第３の実施の形態に係る台の構成例を示す底面図である。同図は、台５０の構成例を表す底面である。この台５０を例に挙げて本実施の形態に係る台の構成を説明する。同図の台５０は、丸管により構成される脚部１７１、１７２および１７３を備える。脚部１７１および１７２は天板１０１の隅部に配置され、脚部１７３は、天板１０１の中央に配置される。これら脚部１７１、１７２および１７３は、厚さ３ｍｍ、内径１２５ｍｍの丸管により構成することができる。また、脚部１７１等は、２００ｍｍの長さに構成することができる。
【００４１】
同図の台５０は、梁部１７４乃至１７６を備える。この梁部１７４乃至１７６は、梁部１６１等と同様に厚さ３ｍｍ、内幅１０ｍｍの角管により構成することができる。梁部１７４および１７５は、脚部１７１および１７２の間に配置される。梁部１７５は、梁部１７４より短い長さに構成される。また、梁部１７６は、脚部１７１および１７２と脚部１７３との間に配置される。
【００４２】
複数の台５０を隣接して配置することにより、ベッド１を構成することができる。また、この際、脚部１７１乃至１７３の間の領域に丸管により構成される共有脚部をさらに配置することもできる。具体的には、隣接する台５０における隣接して配置される２つの天板１０１の辺の中央部に共通に配置される共有脚部を有する構成にすることができる。これにより、ベッド１の強度をさらに向上させることがでる。
【００４３】
同図の台５０を収納する際には、脚部１７１等を横に倒して積み上げることによりコンパクトに収納することができる。
【００４４】
なお、天板１０１の中央に配置される脚部１７３を脚部１７１および１７２とは異なる外径や厚さに構成することもできる。例えば、脚部１７３を２００ｍｍの内径に構成することができる。また、梁部１７４乃至１７６を丸管により構成することもできる。
【００４５】
これ以外の台５０およびベッド１の構成は本開示の第１の実施の形態において説明した台１０等およびベッド１の構成と同様であるため、説明を省略する。
【００４６】
以上説明したように、本開示の第３の実施の形態のベッド１は、丸管により構成される脚部１７１等を配置して天板１０１を支える。
【００４７】
最後に、上述した各実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることは勿論である。
【００４８】
また、上述の実施の形態における図面は、模式的なものであり、各部の寸法の比率等は現実のものとは必ずしも一致しない。また、図面相互間においても互いの寸法の関係や比率が異なる部分が含まれることは勿論である。
【符号の説明】
【００４９】
１  ベッド
１０、２０、３０、４０、５０  台
１０１  天板
１１１、１２１、１２２、１３１、１３２、１４１、１４２、１５１、１５２、１７１〜１７３  脚部
１１９  嵌合部
１６１〜１６３、１７４〜１７６  梁部
１６４  連結部
１６５  伸長梁部
【図１】
0003225357.tif 000003
【図２】
0003225357.tif 000004
【図３】
0003225357.tif 000005
【図４】
0003225357.tif 000006
【図５】
0003225357.tif 000007